(57)【要約】【課題】光ファイバケーブルにおいてセミの産卵行動に起因する光ファイバ心線の断線被害を防止する。【解決手段】樹脂シース３の外面にファイバ長手方向に沿った引き裂き部５を有する光ファイバケーブルであり、この引き裂き部５を、ファイバ長手方向に沿った切欠き溝とし、溝状引き裂き部５を抗張力体２と対向する樹脂シース３の外面に配置する。溝状引き裂き部５に対向する側とは異なる側に位置する抗張力体２の近傍に、光ファイバ心線１を配置する。【選択図】        図２
2005122049.tif 000002
【特許請求の範囲】
【請求項１】
互いに平行に配備された光ファイバ心線と抗張力体とを樹脂シースで被覆して一体化するとともに、前記樹脂シースの外面に、ファイバ長手方向に沿った引き裂き部を有する光ファイバケーブルであって、
前記引き裂き部を、ファイバ長手方向に沿った切欠き溝とし、
前記切欠き溝を、前記抗張力体と対向する樹脂シース外面に配置し、
前記光ファイバ心線を、前記抗張力体の近傍であって前記切欠き溝に対向する側とは異なる側に位置する前記抗張力体の近傍に配置する、
ことを特徴とする光ファイバケーブル。
【請求項２】
互いに平行に配備された光ファイバ心線と抗張力体とを樹脂シースで被覆して一体化するとともに、前記樹脂シースの外面に、ファイバ長手方向に沿った引き裂き部を有する光ファイバケーブルであって、
前記引き裂き部を、ファイバ長手方向に沿った切欠き溝とし、
前記切欠き溝の溝幅を、当該光ファイバケーブルの設置場所に生息するセミ種のうちの最大外形を有するセミ種が有する産卵管の直径より幅広に形成し、
かつ、前記切欠き溝の断面形状を、丸みのある隅部を有する形状にする、
ことを特徴とする光ファイバケーブル。
【請求項３】
請求項２に記載の光ファイバケーブルであって、
前記切欠き溝の幅を０．５ｍｍ以上とする、
ことを特徴とする光ファイバケーブル。
【請求項４】
請求項２または３に記載の光ファイバケーブルであって
前記切欠き溝の断面形状を連続した湾曲形状にする、
ことを特徴とする光ファイバケーブル。
【請求項５】
互いに平行に配備された光ファイバ心線と抗張力体とを樹脂シースで被覆して一体化するとともに、前記樹脂シースの外面に、ファイバ長手方向に沿った引き裂き部を有する光ファイバケーブルであって、
前記引き裂き部を、ファイバ長手方向に沿って前記樹脂シートと一体形成された凸条とする、
ことを特徴とする光ファイバケーブル。
【請求項６】
請求項１ないし５のいずれかに記載の光ファイバケーブルであって、
前記樹脂シースの一端部に支持線を備える、
ことを特徴とする光ファイバケーブル。
【発明の詳細な説明】
【技術分野】
【０００１】
本発明は、架空光配線ケーブルから各家庭などの引き込み先に引き込むドロップケーブルとして利用される光ファイバケーブルに関する。
【背景技術】
【０００２】
ドロップケーブルとして利用される光ファイバケーブルとしては、光ファイバ心線とこれを挟むように配備された２本の抗張力体とを樹脂シースで被覆して一体化するとともに、樹脂シースを引き裂いてその中から光ファイバ心線を取り出すために、断面形状がくさび形状の切欠き溝からなる引き裂き部が、光ファイバ心線を挟んで樹脂シースの対向する両外側面に設けられた構造のものが一般的に利用されている（例えば、特許文献１参照）。
【特許文献１】特開２０００−１７１６７３号公報
【発明の開示】
【発明が解決しようとする課題】
【０００３】
近年、架設された光ファイバケーブルに対してセミ（特にはクマゼミ等の大型のセミ）が産卵行動をすることが原因で、内部の光ファイバ心線が断線する事故が発生することが報告されている。
【０００４】
セミは枯れ枝の中に卵を産み付ける習性があり、空中に架設された光ファイバケーブルを枯れ枝と勘違いして産卵管を突き刺して卵を産み付ける。ケーブル外面に形成された切欠き溝からなる引き裂き部に産卵管を突き刺す際に、引き裂き部（切欠き溝）に対向配備されている光ファイバ心線に産卵管が接触して光ファイバ心線が断線する。
【課題を解決するための手段】
【０００５】
上記課題を解決するために、本発明は以下のように構成する。
【０００６】
第１の発明は、互いに平行に配備された光ファイバ心線と抗張力体とを樹脂シースで被覆して一体化し、前記樹脂シースの外面に、ファイバ長手方向に沿った引き裂き部を有する光ファイバケーブルであって、前記引き裂き部を、ファイバ長手方向に沿った切欠き溝とする。前記切欠き溝を、前記抗張力体と対向する樹脂シース外面に配置する。前記光ファイバ心線を、前記抗張力体の近傍であって前記切欠き溝に対向する側とは異なる側に位置する前記抗張力体の近傍に配置する。
【０００７】
この構成によると、セミが産卵管を溝状引き裂き部に突き刺したとしても、その内奥にある硬質の抗張力体にぶつかってそれ以上の進入が阻止されることになり、産卵行動が阻害されるとともに、光ファイバ心線への産卵管の接触が回避される。
【０００８】
また、光ファイバケーブルを引き裂くと、樹脂シースは溝状引き裂き部の底と抗張力体との間で引き裂かれることになり、抗張力体の近傍に位置する光ファイバ心線をケーブル外部に露出させることができる。
【０００９】
第２の発明は、互いに平行に配備された光ファイバ心線と抗張力体とを樹脂シースで被覆して一体化し、前記樹脂シースの外面に、ファイバ長手方向に沿った引き裂き部を有する光ファイバケーブルであって、前記引き裂き部を、ファイバ長手方向に沿った切欠き溝とする。前記切欠き溝の幅を、当該光ファイバケーブルの設置場所に生息するセミ種のうちの最大外形を有するセミ種が有する産卵管の直径より幅広に形成する。かつ、前記切欠き溝の断面形状を、丸みのある隅部を有する形状にする。
【００１０】
この構成によると、セミが産卵管を溝状引き裂き部に突き刺そうとしても、溝状引き裂き部の断面形状が丸みのある隅部を有する形状であるために、産卵管先端が滑り動いてうまく突き刺すことができなくなり、産卵行動を阻むことができる。また、溝状引き裂き部の溝幅を、当該光ファイバケーブルの設置場所に生息するセミ種のうちの最大外形を有するセミ種が有する産卵管の直径より幅狭く形成した場合には、産卵管が溝状引き裂き部の縁に引っかかって突き刺さるという不具合を生じさせる可能性がある。しかしながら、本発明では、溝状引き裂き部の溝幅を、当該光ファイバケーブルの設置場所に生息するセミ種のうちの最大外形を有するセミ種が有する産卵管の直径より幅広に形成しているので、そのような不具合が発生することはなく、産卵管先端を切欠き溝内において確実に滑り動かしてその突き刺しを確実に阻むことができる。
【００１１】
なお、溝状引き裂き部の溝幅の数値範囲の具体例としては、０．５ｍｍ以上が例示される。これは、日本国内に生息するセミ種の中で最大種と一つであるクマゼミの産卵管の直径に基づいた数値である。クマゼミの産卵管の直径は、一般に０．４ｍｍ程度といわれており、この産卵管直径より大きい値として０．５ｍｍ以上が例示できる。
【００１２】
なお、第２の発明において前記溝状引き裂き部の断面形状を連続した湾曲形状にするのが好ましい。この構成によると、溝状引き裂き部の断面形状を、断面形状が連続した湾曲形状、具体的には半円形あるいは部分円弧状に形成することで、切り裂き時に溝底に応力を集中させることができるものでありながら、産卵管先端が滑り動いてうまく突き刺すことができなくなり、産卵行動を確実に阻むことができる。
【００１３】
第３の発明は、互いに平行に配備された光ファイバ心線と抗張力体とを樹脂シースで被覆して一体化し、前記樹脂シースの外面に、ファイバ長手方向に沿った引き裂き部を有する光ファイバケーブルであって、前記引き裂き部を、ファイバ長手方向に沿って前記樹脂シートと一体形成された凸条としている。
【００１４】
この構成によると、産卵管を突き刺す溝が無いためにセミは産卵行動を行うことができなくなる。
【００１５】
また、光ファイバケーブルに引き裂き力をかけると、凸条引き裂き部の基部とケーブル外面とのなす内角部に応力が集中して、この角部に沿って樹脂シースが切り裂かれてゆく。
【００１６】
上記第１〜第３のいずれかの発明は、前記樹脂シースの一端部に支持線を備えるのが好ましい。この構成によると、光ファイバケーブル全体としての抗張力が十分に高く維持されるものとなり、光ファイバケーブル単体で空中に架設することができる。
【発明の効果】
【００１７】
このように、本発明によれば、セミの産卵行動を阻むことができ、突き刺された産卵管によって光ファイバ心線が断線するような事故を回避することが可能となる。
【発明を実施するための最良の形態】
【００１８】
以下、本発明の実施の態様のいくつかを図面に基づいて説明する。
【００１９】
第１の実施の形態
図１に、第１の実施の形態に係る光ファイバケーブルの斜視図が、また、図２にその断面図がそれぞれ示される。この光ファイバケーブルは、１本の光ファイバ心線１とこれを図中上下から挟むように平行に配備された２本の抗張力体２と有する。光ファイバ心線１と抗張力体２とは樹脂シース３で被覆されて一体化されている。樹脂シース３の一端部には金属線等からなる支持線４が添設されており、支持線４も樹脂シース３に被覆されている。光ファイバケーブルは、架空光配線ケーブルから各家庭などの引き込み先に引き込むドロップケーブルとして利用される。
【００２０】
樹脂シース３の外面には引き裂き部５が形成されている。引き裂き部５は、断面形状がくさび形の切欠き溝からなり、ケーブル長手方向に沿って形成されている。引き裂き部５は、支持線４に近い側の抗張力体２を挟んで、図中左右両側に互いに対向して配置されている。ここでいう左右とは、支持線５,抗張力体２の配列方向に直交しかつケーブル長手方向に直交する方向をいう。
【００２１】
光ファイバ心線１は両側に引き裂き部５を有する抗張力体２の下側に近接させて配備されている。詳細にいえば、光ファイバ心線１は、抗張力体２の近傍であって引き裂き部５に対向する側とは異なる側に位置する抗張力体２の近傍に配置されている。
【００２２】
この構成によると、セミが産卵管を溝状の引き裂き部５に突き刺したとしても、その内奥にある硬質の抗張力体２にぶつかってそれ以上の進入が阻止されることになり、産卵行動が阻害される。さらに、引き裂き部５に産卵管を突き刺したとしても、突き刺された産卵管は抗張力体にぶつかるものの光ファイバ心線１に接触することはない。したがって、産卵管の突き刺しに起因する光ファイバ心線１に断線は防止される。
【００２３】
また、光ファイバケーブルに引き裂き力を加えると、樹脂シース３は溝状の引き裂き部５の底と抗張力体２との間で引き裂かれることになり、抗張力体２の近傍に位置する光ファイバ心線１を露出させることができる。
【００２４】
なお、２本の光ファイバ心線１を備えた光ファイバケーブルにおいては、図３（ａ）に示すように、光ファイバ心線１それぞれを、１本ずつ各抗張力体２の近傍に位置させて配備するとともに、各抗張力体２に対向して溝状の引き裂き部５を樹脂シース３の左右両外側面に形成してもよい。あるいは、図３（ｂ）に示すように、溝状の引き裂き部５が添設された一方の抗張力体２の近傍に２本の光ファイバ心線１を片寄せて配備してもよい。
【００２５】
また、本発明の光ファイバケーブルは、図３（ｃ）に示すように、支持線４を備えない仕様で実施することもできる。
【００２６】
第２の実施の形態
図４に、本発明の第２の実施の形態に係る光ファイバケーブルの断面図が示される。この例の光ファイバケーブルも、第１の実施の形態と同様、１本の光ファイバ心線１とこれを上下から挟むように平行に配備された２本の抗張力体２とを樹脂シース３で被覆して一体化するとともに、樹脂シース３の一端部に支持線４を添設して構成されている。しかしながら、第２の実施の形態では、溝状の切り裂き部５の仕様が第１の実施の形態と異なっている。
【００２７】
つまり、この例では、光ファイバ心線１が２本の抗張力体２の中間に位置させて配備されるとともに、この光ファイバ心線１の左右両側に対向して溝状の切り裂き部５が形成されている。そして、この溝状の引き裂き部５は、その溝幅がセミの産卵管の直径よりも大きく、かつ、その断面形状が丸みのある隅部を有する連続した湾曲形状に形成されている。ここでいう湾曲形状とは、例えば半円形あるいは部分円弧形状である。また、ここでいうセミとは、光ファイバケーブルの設置場所に生息するセミ種のうちの最大外形を有するセミ種のことをいう。
【００２８】
この構成によると、セミが産卵管を溝状の引き裂き部５に突き刺そうとしても、溝状の引き裂き部５が角ばった隅部がない（丸みのある）形状を有しているために、産卵管先端が滑り動いてうまく突き刺すことができなくなり、産卵行動を阻むことができる。
【００２９】
また、溝状引き裂き部５の溝幅は、この光ファイバケーブルの設置場所に生息するセミ種のうちの最大外形を有するセミ種が有する産卵管の直径より幅広に形成されているため、セミの産卵管先端を溝状引き裂き部５内に引き入れてその溝壁で滑り動かすことでその突き刺しを確実に阻むことができる。
【００３０】
溝状引き裂き部５の溝幅の具体例としては、０．５ｍｍが例示される。この数値は、日本国内に生息するセミ種の中で最大外形種の一つであるクマゼミの産卵管直径に基づいた数値である。クマゼミの産卵管直径は、一般に０．４ｍｍ程度といわれており、この大きさの産卵管の直径より大きい溝幅として０．５ｍｍが例示される。
【００３１】
なお、セミの産卵管が溝状引き裂き部５に対して直交する方向に沿って突き刺されば、産卵管が溝壁で滑ることなく突き刺さる可能性がある。しかしながら、セミは、その産卵管を、約３０度の挿入角度で突き刺す習性があることが知られている。そのため、溝状引き裂き部５の溝幅を、産卵管より幅広（例えば０．５ｍｍ以上）にすることで、産卵管は確実に溝壁で滑ってその突き刺しが阻害される。
【００３２】
なお、図５の変形例に示すように、溝状引き裂き部５の溝幅を深さに比して十分大きく設定した場合には、直線的な溝底の両端に比較的大きい極率で湾曲した隅部を形成しておくことで、産卵管の突き刺しを阻むことができる。
【００３３】
第３の実施の形態
図６に、本発明の第３の実施の形態に係る光ファイバケーブルの断面図が示される。この例の光ファイバケーブルも、第１,第２の実施の形態と同様、１本の光ファイバ心線１とこれを上下から挟むように平行に配備された２本の抗張力体２とを樹脂シース３で被覆して一体化するとともに、樹脂シース３の一端部に支持線４を添設して構成されているが、切り裂き部６の構成が第１,第２の実施の形態と異なっている。
【００３４】
引き裂き部６はケーブル長手方向に沿った凸条形状をしており、樹脂シース３の外面に一体に設けられている。凸条の引き裂き部６は、２本の抗張力体２の中間に位置させて配備された光ファイバ心線１の左右両側に互いに対向するように配置されている。ここでいう左右とは、支持線５,抗張力体２の配列方向に直交しかつケーブル長手方向に直交する方向をいう。
【００３５】
この構成によると、ケーブル外面に産卵管を突き刺す溝が無いためにゼミは産卵行動を行うことができなくなる。また、引き裂き力を加えると、凸条引き裂き部６の基部とケーブル外面とのなす内角部に応力が集中して、この角部に沿って樹脂シース３が切り裂かれてゆき、両凸条引き裂き部６に亘る切り裂き面に光ファイバ心線１が露出される。
【００３６】
本発明の各実施の形態の変形例として次のものがある。
（１）図示しないが、上記第２の実施の形態や第３の実施の形態においても、支持線４を備えない形態で実施することもできる。
（２）抗張力体２の本数は光ファイバ心線１の本数等に対応して適宜設定することができる。
【図面の簡単な説明】
【００３７】
【図１】本発明の第１の実施の形態に係る光ファイバケーブルの外観斜視図である。
【図２】第１の実施の形態に係る光ファイバケーブルの断面図である。
【図３】第１の実施の形態の変形例を示す断面図である。
【図４】第２の実施の形態に係る光ファイバケーブルの断面図である。
【図５】第２の実施の形態の変形例を示す断面図である。
【図６】第３の実施の形態に係る光ファイバケーブルの断面図である。
【符号の説明】
【００３８】
１            光ファイバ心線
２            抗張力体
３            樹脂シース
４            支持線
５            溝状の引き裂き部
６            凸条の引き裂き部
【図１】
2005122049.tif 000003
【図２】
2005122049.tif 000004
【図３】
2005122049.tif 000005
【図４】
2005122049.tif 000006
【図５】
2005122049.tif 000007
【図６】
2005122049.tif 000008